(57)【要約】【課題】  自分撮り撮影を行うときは撮像装置を撮影者からなるべく離さなければならず、特に片手で持つ場合は手ぶれが多くなってしまう。【解決手段】  撮像手段と画像表示手段の相対的な姿勢を検出し、検知した姿勢に基づき現在の撮影状況が通常の撮影なのかそれとも自分撮り撮影なのかを検知することにより、撮像部の撮像素子の蓄積時間を変更するよう制御する。【選択図】        図１
2006140687.tif 000002
【特許請求の範囲】
【請求項１】
画像を撮像する撮像手段と、撮像している画像を表示する画像表示手段と、撮像手段と画像表示手段の相対的な姿勢を検出する姿勢検知手段と、前記撮像手段の露出を制御する露出制御手段と、を有し、前記撮像手段と前記画像表示手段は相対的に撮像する方向もしくは表示する方向を変えることが可能で、前記姿勢検知手段が検知した撮像手段の撮像する方向と前記画像表示手段の表示する方向の相対的な関係に基づき、前記露出制御手段は撮像素子の蓄積時間を変更するよう露出制御を行うことを特徴とする撮像装置。
【請求項２】
姿勢検知手段が所定の範囲の姿勢を検知したときは、露出制御手段は撮像素子の蓄積時間を短くするように露出を変更することを特徴とする請求項１記載の撮像装置。
【請求項３】
画像を撮像する一つもしくは複数の撮像手段と、前記撮像手段が撮像している画像を表示する一つもしくは複数の画像表示手段と、撮像時に使用する前記撮像手段と前記画像表示手段を選択する選択手段と、前記撮像手段の露出を制御する露出制御手段を持つ撮像装置であり、前記撮像手段あるいは前記画像表示手段のいずれか一方は複数持ち、前記選択手段の選択した既知の撮像手段の撮像する方向と画像表示手段の表示する方向の相対的な関係により、前記露出制御手段は撮像素子の蓄積時間を制御することを特徴とする撮像装置。
【請求項４】
選択手段が選択した撮像手段の撮像する方向と画像表示手段が画像を表示する方向が同じ方向の場合には露出制御手段は撮像素子の蓄積時間を短くするように露出制御を行い、選択手段が選択した撮像手段の撮像する方向と画像表示手段が画像を表示する方向が反対方向の場合には撮像素子の蓄積時間を長くするように露出制御を行うことを特徴とする請求項３記載の撮像装置。
【発明の詳細な説明】
【技術分野】
【０００１】
本発明は、デジタルスチルカメラやカメラ一体型ＶＴＲや、携帯情報端末などに装備された撮像装置の露出制御に関するものである。
【背景技術】
【０００２】
デジタルスチルカメラやカメラ一体型ＶＴＲでは、撮像している画像をリアルタイムに表示する手段として例えば液晶表示パネルを持つものがある。これらの液晶表示パネルは撮影者が撮像している画像を観察するために設けられ、撮影者から見やすいように撮影者の方向を向いている。この画像表示パネルはデジタルスチルカメラやカメラ一体型ＶＴＲを頭上に掲げて人混みの前方を撮影したり、足元近くに構えて地面に咲く花などを撮影するときにも、撮影者が撮像している画像を観察できるように撮影者に向けて回転させたり移動させたりすることができるものがある。また、カメラ付きのＰＤＡ（Ｐｅｒｓｏｎａｌ  Ｄｉｇｉｔａｌ  Ａｓｓｉｓｔａｎｔｓ）やカメラ付き携帯電話などでは、液晶表示パネルではなくカメラ部自体の撮像方向を変えることができるものもある。
【０００３】
これらは撮影者と相対する被写体だけではなく、撮影者がカメラ部と液晶表示パネルを撮影者自身に向けることにより撮影者自身を撮影することができるものもある。またはカメラ付き携帯電話においては撮影者と相対する被写体を撮影するためのカメラだけではなく、撮影者自身を撮影する専用のカメラを備えるものもある。またカメラは一つしか持たないが、カメラが撮影する方向からでも観察できる位置に画像表示パネルを備える物もある。
【特許文献１】特開平１１−１６０７７４号公報
【特許文献２】特開２００３−６９８８０号公報
【発明の開示】
【発明が解決しようとする課題】
【０００４】
デジタルスチルカメラやカメラ一体型ＶＴＲでは、一般的に撮影時には両手で撮像装置を保持して撮影を行う。このように両手で保持することにより手ぶれを防止して安定したぶれのない画像を撮像することができる。またカメラ付き携帯電話においても同様である。
【０００５】
図２はカメラ一体型ＶＴＲにおいて通常の撮影をしていることを表した図であり、この場合には画像表示パネルは撮影者のいる後方を向いており、カメラ部は前方を撮影している。このようにして撮影者は被写体がどのように撮影されているかを確認することができる。また通常の撮影では両手で撮像装置を保持するために、手ぶれも少なく安定した画像を撮像することができる。
【０００６】
図３はカメラ付き携帯電話において通常の撮影をしていることを表した図であり、この場合には画像表示パネルは撮影者のいる後方を向いており、カメラ部はこの図では確認できないが画像表示部の反対側にあり被写体側の前方を向いている。この場合も前記カメラ一体型ＶＴＲと同様に撮影者は被写体がどのように撮影されているかを確認することができる。また通常の撮影では両手で撮像装置を保持するために、手ぶれも少なく安定した画像を撮像することができる。
【０００７】
ここで撮影者自身を撮影するとき（以下、自分撮り撮影と呼ぶ）、撮像している画像を表示する画像表示パネルをカメラ部が撮像する方向に向けたり、もしくはカメラ部を画像表示パネルの表示する方向に向けたり、もしくは撮影者を撮影する専用のカメラに切り換える。
【０００８】
図４はカメラ一体型ＶＴＲにおける自分撮り撮影を表した図である。
【０００９】
また図５はカメラが撮影する方向にも画像表示パネルを備えたカメラ付き携帯電話における自分撮り撮影を表した図である。ここで撮像装置を手持ちで自分撮り撮影するとなると、撮像装置から撮影者までの距離は撮影者の腕の長さで決まってしまう。撮像装置の光学系はそのサイズや光学特性上の制限等から画角はある程度限られてしまい、例えば撮影者だけを撮影するときだけではなく、撮影者の周りに他の人物を並んで入れて撮影しようとすると撮像装置を撮影者からなるべく離さなければならず、撮像装置を片手で持ち、腕を一杯に延ばさなくてはならない。そのため比較的に軽いカメラ付き携帯電話のみならず、比較的重量のあるカメラ一体型ＶＴＲなどではどうしても手ぶれが多くなってしまい、ぶれの多い落ち着かない画像となりやすい。
【００１０】
本発明はこのような問題を解決するためになされたもので、その目的は自分撮り撮影をするときにも、ぶれの少ない画像を撮影するための露出制御を行う撮像装置を提供することにある。
【課題を解決するための手段】
【００１１】
本発明は上記目的を達成するため撮像手段と、画像表示手段と、撮像手段と画像表示手段の相対的な姿勢を検出する姿勢検知手段と、露出制御手段を持つ撮像装置であり、通常の撮影時には撮影者は撮像手段の後ろに位置するため撮像手段と画像表示手段はお互いに反対方向を向くように配置され、自分撮り撮影をするときには撮影者は撮像手段の前に位置するため撮像手段と画像表示手段はお互いに同一方向を向くように配置される。撮像装置は撮影手段と画像表示手段の向いている方向を検知するための姿勢検知手段を持ち、検知した姿勢に基づき現在の撮影状況が通常の撮影なのかそれとも自分撮り撮影なのかを検知する。
【００１２】
通常の撮影時には姿勢検知手段からの検知情報により通常の撮影と判断し、撮像部の撮像素子の蓄積時間を長めにするよう露出制御を行い結果的にＡＣＧの利得を下げて撮像する画像のＳ／Ｎを改善する。自分撮り撮影を行うときは姿勢検知手段からの検知情報により自分撮り撮影と判断し、撮像素子の蓄積時間を短くしてなるべく手ぶれを少なくするよう露出制御を行う。
【００１３】
また本発明では上記目的を達成するため、一つもしくは複数の撮像手段と、一つもしくは複数の画像表示手段と、撮影に使用する撮像手段と画像表示手段を選択する選択手段と、露出制御手段を持つ撮像装置であり、撮像手段もしくは画像表示手段のどちらかは複数持ち、選択した撮像手段と画像表示手段の向く方向は既知であることからその相対関係より通常の撮影か自分撮り撮影かを判断する。
【００１４】
通常の撮影時には選択手段からの選択情報により通常の撮影と判断し、撮像部の撮像素子の蓄積時間を長めにするよう露出制御を行い結果的にＡＣＧの利得を下げて撮像する画像のＳ／Ｎを改善する。自分撮り撮影を行うときは選択手段からの選択情報により自分撮り撮影と判断し、撮像素子の蓄積時間を短くしてなるべく手ぶれを少なくするよう露出制御を行う。
【発明の効果】
【００１５】
本発明の第一の実施の形態では、撮像部と画像表示部の相対的な姿勢を変えることができる撮像装置において、その姿勢を検知する手段を用いて撮像部が撮像している方向と画像表示部が表示している方向を検知し、そこから通常の撮影をしているのか撮影者が撮影者自身を撮影する自分撮り撮影をしているのかを判別する。
【００１６】
また本発明の第二の実施の形態では、一つもしくは複数の撮像部と一つもしくは複数の画像表示部を持つ撮像装置において、撮像部もしくは画像表示部のどちらかは複数であり、この複数の撮像部もしくは画像表示部を選択する選択手段により、既知の撮像部の撮影する方向と画像表示部の表示する方向から、通常の撮影をしているのか撮影者が撮影者自身を撮影する自分撮り撮影をしているのかを判別する。
【００１７】
これら判別した撮影状態から、自分撮り撮影時には撮影者は撮像装置を片手で保持することが多いとの予測されることから、通常撮影時よりも撮像素子蓄積時間を短めになるように制御することにより、片手で撮像装置を保持することによる手ぶれの影響を少なくすることができる。
【００１８】
また通常撮影時には自分撮り撮影の条件を除外できることから、自分撮り撮影時とは逆に撮像素子蓄積時間を長めになるように露出制御を行うことにより、結果的に撮像した画像のＳ／Ｎ比に悪影響を与えるＡＧＣ利得を下げることができ、画質の改善を実現することができる。
【発明を実施するための最良の形態】
【００１９】
以下本発明を実施するための最良の形態を、実施例により詳しく説明する。
【実施例】
【００２０】
本発明の第一の実施の形態について図面を参照して説明する。
【００２１】
図１は本発明による撮像装置におけるカメラ部周辺のブロック図である。ここで１−１は光学系であり、撮影している被写体の光学像を結像する。１−２は撮像素子であり前記光学系１−１が結像した光学像を電気信号による画像信号に変換する。１−３はＣＤＳ／ＡＧＣ回路であり前記撮像素子１−２から出力された画像信号の雑音低減処理とその後の信号処理に適したレベルまで信号を増幅する。１−４はＡＤＣ回路であり前記ＣＤＳ／ＡＧＣ回路１−３から出力されたアナログの画像信号をデジタル信号に変換する。１−５はカメラ信号処理回路であり前記ＡＤＣ回路１−４から出力されたデジタル画像信号について色分離処理やホワイトバランス処理やガンマ処理等を行って映像信号を出力する。１−６はカメラ制御回路であり前記撮像素子１−２や前記ＣＤＳ／ＡＧＣ回路１−３や前記ＡＤＣ回路１−４や前記カメラ信号処理回路１−５を制御し露出制御を行う。１−７は姿勢検知回路であり、カメラ部と画像表示部の相対的な関係を検知する回路である。１−８は画像表示パネルであり、前記カメラ信号処理回路１−５で処理された画像を表示する。
【００２２】
本発明の第一の実施の形態の撮像装置においては、カメラ部と画像表示部はお互いに相対的な方向を変えることが出来る。例えば撮影者に対向する被写体を撮影したり、カメラ部と画像表示部を両方とも撮影者の方向に向けて撮影者自身を撮影することができる。
【００２３】
カメラ一体型ＶＴＲを例にとって説明する。図６はカメラ一体型ＶＴＲとその画像表示部について表した図である。ここでカメラ一体型ＶＴＲは左方向を撮影しており、通常の撮影時には撮影者はカメラ一体型ＶＴＲの後方、図６で言えばカメラ一体型ＶＴＲの右に位置する。画像表示部はカメラ部が撮影している方向とは正反対の方向に向いている状態で０°とする。
【００２４】
通常の撮影時に撮影者がカメラ一体型ＶＴＲを胸の前に両手で保持するときは、画像表示部の表示面が撮影者の視線に対して垂直になるように画像表示部を＋４５°程度に回転させる。ハイアングル撮影をするときは、撮影者はカメラ一体型ＶＴＲを高い位置に構え画像表示部を−４５°程度に回転させて撮影する。また逆にローアングル撮影をするときには、撮影者はカメラ一体型ＶＴＲを低い位置に構え画像表示部を＋４５°から＋９０°程度に回転させて撮影する。そして撮影者が撮影者自身を撮影する自分撮り撮影をするときは、図４に示すように撮影者はカメラ一体型ＶＴＲのカメラ部を自分の方向に向け、画像表示部は＋１３５°から＋１８０°程度に回転させカメラ部と同じ方向に画像表示部を向けて撮影者自身に撮影している画像を見えるようにする。
【００２５】
このようなカメラ部と表示する方向を変えることが出来る画像表示部を持つ撮像装置においては、画像表示部の回転角度により通常の撮影か撮影者自身を撮影する自分撮り撮影かを判断することができる。
【００２６】
図６に示したようなカメラ一体型ＶＴＲにおいては、画像表示部の回転角度が−９０°から＋９０°の範囲では通常の撮影であると判断できる。また画像表示部の回転角度が＋９０°以上の場合には自分撮り撮影であると判断できる。このようにして姿勢検知手段１−７において画像表示部の回転角度を検知し、検知信号をカメラ制御回路１−６に送る。
【００２７】
ここでは回転して撮影者に見やすいように角度を調整できる画像表示部を持つカメラ一体型ＶＴＲにおいて、角度を調整できる画像表示部の回転軸に回転角を検出する姿勢検知手段１−７を設ける例を挙げた。しかし姿勢検知手段１−７の設置は画像表示部の回転軸に設けることには限らず、例えばデジタルカメラやカメラ付き携帯電話にあるように、画像表示手部ではなく撮像部が回転して撮影者の方向や撮影者と対向する方向を撮影できるものもある。この場合には姿勢検知手段１−７は回転するカメラ部の回転軸に設けることもできる。
【００２８】
本発明においては姿勢検知手段１−７はカメラ部の撮像する方向と画像表示部の画像を表示する方向の相対関係を検出することが目的であり、そのための検知手段であれば何でも良く、回転角検知に限定するものではない。
【００２９】
図７は本発明の撮像装置の露出制御について表した図である。ここで実線は通常の撮影時の露出パラメータを表しており、破線は自分撮り撮影時の露出パラメータを示している。
【００３０】
姿勢検知手段１−７からの姿勢情報に基づいてカメラ制御手段１−６が通常撮影か自分撮り撮影かを判別して図７の露出テーブルのように露出制御を行う。ここではパラメータは撮像素子蓄積時間と、ＡＧＣ利得と、図１には示さないが光学系１−１内もしくは光学系１−１と撮像素子１−２との間に配置し光学画像の光量を調整する絞りの開度である。
【００３１】
まず通常撮影時の露出制御について述べる。露出制御において図７における照度７−１のように照度が低い場合には、撮像素子蓄積時間は長く、絞りは全開であり、ＣＤＳ／ＡＧＣ回路１−３のＡＧＣ利得は高い。照度７−１より照度が高くなる時には撮像素子蓄積時間を短くして行くように露出制御を行う。照度７−１より高い照度７−３では、ここより照度が高くなると撮像素子蓄積時間はこれ以上は短くはならず、ＡＧＣ利得を下げるように制御する。照度７−４では、ここより照度が高くなるとＡＧＣ利得はこれ以上は低くならず、絞りの開度を小さくするように制御する。
【００３２】
このように露出制御を行うことにより、どのような照度でも適正な露出が得られる。
【００３３】
次に撮影者が撮影者自身を撮影する自分撮り撮影時の露出制御について説明する。
【００３４】
ここで図４に示したように、画像表示パネルをカメラ部と同じ方向に向けて撮影者自身を撮影するときに姿勢検知手段１−７は姿勢検知情報をカメラ制御回路１−６に送り、カメラ制御回路１−６は通常撮影か自分撮り撮影か判別する。前述の通り、通常の撮影では撮影者は撮像装置を両手で保持して手ぶれが少ない状態で撮影できるが、自分撮りをするときには図４に示すように片手で撮影することが多くなる。この場合には通常の撮影時と比較すると撮像装置を片手で保持することから、どうしても手ぶれが増えてしまう。そのため姿勢検知手段１−７が検知した情報に基づいて、カメラ制御回路１−６は露出制御において手ぶれに影響する撮像素子の蓄積時間をなるべく短くするように制御する。
【００３５】
自分撮り撮影時の露出制御を図７を用いて説明する。照度７−１ではまず撮像素子蓄積時間を通常撮影時より短くする。しかし撮像素子蓄積時間を短くすると撮像した画像のレベルが低くなってしまうので、ＡＧＣ利得をその分上げるように露出制御を行うことにより通常撮影時と同様の露出を得ることができる。そして照度７−２において、画像蓄積時間はこれ以上は短くならず、これ以上照度が高くなるとＡＧＣ利得を低くして行く。そして照度７−４ではＡＧＣ利得はこれ以上は低くならず、これ以上照度が高くなると絞りの開度を小さくするように制御する。
【００３６】
このように露出制御を行うことにより、通常撮影時と比較して照度が低いときの撮像素子蓄積時間を短くするために、手ぶれの少ない画像を得られる。
【００３７】
以上に本発明のカメラ一体型ＶＴＲの露出制御について述べたが、この撮像装置は露出制御のパラメータとして光学系１−１内かもしくは光学系１−１と撮像素子１−２の間に設置する絞りを持っている。しかし光学系１−１の大きさに制限のあるデジタルスチルカメラやカメラ付き携帯電話などには、絞りを持たない撮像装置もある。その場合の本発明による撮像装置の露出制御について説明する。
【００３８】
図８は絞りを持たない本発明の撮像装置の露出制御のパラメータを表した図である。ここで実線は通常撮影時の露出パラメータを表し、破線は自分撮り撮影時の露出パラメータを表している。姿勢検知手段１−７が通常撮影と検知した場合にカメラ制御回路１−６は、図８の実線のようなパラメータ制御を行う。照度８−１のように照度が低い場合には、撮像素子蓄積時間は長く、ＣＤＳ／ＡＧＣ回路１−３のＡＧＣ利得は高い。照度８−１より照度が高くなる時には撮像素子蓄積時間を短くして行くように露出制御を行う。照度８−１より高い照度８−３では、ここより照度が高くなると撮像素子蓄積時間はこれ以上は短くはならず、ＡＧＣ利得を下げるように制御する。
【００３９】
このように露出制御を行うことにより、どのような照度でも適正な露出が得られる。
【００４０】
姿勢検知手段１−７が自分撮り撮影と検知した場合にカメラ制御回路１−６は、図８の破線のようなパラメータ制御を行う。前述の通り、通常の撮影では撮影者は撮像装置を両手で保持して手ぶれが少ない状態で撮影できるが、自分撮りをするときには図５に示すように片手で撮影することが多くなる。この場合には通常の撮影時と比較すると撮像装置を片手で保持することから、どうしても手ぶれが増えてしまう。そのため姿勢検知手段１−７が検知した情報に基づいて、カメラ制御回路１−６は露出制御において手ぶれに影響する撮像素子の蓄積時間をなるべく短くするように制御する。
【００４１】
自分撮り撮影時の露出制御を図８を用いて説明する。照度８−１ではまず撮像素子蓄積時間を通常撮影時より短くする。しかし撮像素子蓄積時間を短くすると撮像した画像のレベルが低くなってしまうので、ＡＧＣ利得をその分上げるように露出制御を行うことにより通常撮影時と同様の露出を得ることができる。そして照度８−２において、画像蓄積時間はこれ以上は短くならず、これ以上照度が高くなるとＡＧＣ利得を低くして行く。
【００４２】
このように露出制御を行うことにより、通常撮影時と比較して照度が低いときの撮像素子蓄積時間を短くするために、手ぶれの少ない画像を得られる。
【００４３】
次に本発明の第二の実施の形態について図面を参照して説明する。図９は本発明による撮像装置におけるカメラ部周辺のブロック図である。ここで９−１は光学系であり、撮影している被写体の光学像を結像する。９−２は撮像素子であり前記光学系９−１が結像した光学像を電気信号による画像信号に変換する。９−３はＣＤＳ／ＡＧＣ回路であり前記撮像素子９−２から出力された画像信号の雑音低減処理とその後の信号処理に適したレベルまで信号を増幅する。９−４はＡＤＣ回路であり前記ＣＤＳ／ＡＧＣ回路９−３から出力されたアナログの画像信号をデジタル信号に変換する。９−５はカメラ信号処理回路であり前記ＡＤＣ回路９−４から出力されたデジタル画像信号について色分離処理やホワイトバランス処理やガンマ処理等を行って映像信号を出力する。９−６はカメラ制御回路であり前記撮像素子９−２や前記ＣＤＳ／ＡＧＣ回路９−３や前記ＡＤＣ回路９−４や前記カメラ信号処理回路９−５を制御し露出制御を行う。９−７は選択回路であり、二つある画像表示パネルのいずれかを選択する。９−８と９−９は画像表示パネルであり、前記選択回路９−７で選択されて画像を表示する。
【００４４】
本発明の第二の実施の形態の撮像装置においては、一つもしくは複数のカメラ部と、一つもしくは複数の画像表示部を持つ撮像装置であり、カメラ部あるいは画像表示部のいずれか一方は複数持つ。
【００４５】
ここでは実施例として、一つのカメラ部と二つの画像表示部を持つ撮像装置について説明する。カメラ部と画像表示部は撮像装置に固定されており、複数のカメラ部もしくは複数の画像表示部を選択手段が選択する。図３と図５は本発明の第二の実施の形態のカメラ付き携帯電話を表した図であり、このカメラ付き携帯電話ではカメラ部を一つと画像表示パネルを二つ持つ。そして図３のように撮影者に対向する被写体を撮影する通常の撮影時には、選択回路９−７はカメラ部の裏側に設けられたカメラ部が撮像する方向とは反対方向に画像を表示する表示パネルを選択し、撮影者が撮影者自身を撮影する自分撮り撮影時には選択回路９−７は図５にあるようにカメラ部と同じ面にカメラ部が撮像している方向と同じ方向を向いた画像表示パネルを選択する。選択回路９−７による選択は撮影者が行っても良いし、図３と図５のような折り畳み式カメラ付き携帯電話では、携帯電話を開いてカメラで撮影しているときは撮影者側の画像表示パネルを選択し、携帯電話を折り畳んでカメラで撮影しているときはカメラと同一面にある画像表示パネルを選択するように設けても良い。
【００４６】
このようにして選択回路９−７によりどちらの画像表示手段を選んだかにより、通常撮影であるのか自分撮り撮影であるのか判別することができる。選択回路９−７がどちらを選択したかの情報は、カメラ制御回路９−６に送られる。カメラ制御回路９−６では自分撮り撮影時には通常撮影時より撮像素子の蓄積時間を短くするように露出制御を行う。それぞれの露出制御の詳細については、本発明の第一の実施の形態の説明と同一であるので省略する。
【００４７】
本発明の第二の実施の形態について、一つの撮像部と二つの画像表示部を持つ撮像装置について説明したが、本発明の第二の実施の形態についてはこの組み合わせに限定せず、例えば二つの撮像部と一つの画像表示部の組み合わせなどでも良い。このような二つの撮像部と一つの画像表示部を持つ撮像装置においては、図示しないが選択手段は二つの撮像部のうちどちらかを選択するよう設けられる。このような撮像装置の実施の形態として、例えばカメラ付き携帯電話においては画像表示部の反対の面に通常撮影用のカメラを設け、画像表示部と同じ面に撮影者を撮像するためのカメラを設けるようなことが考えられる。この場合も選択手段の選択した撮像部の設置位置により、露出制御手段は前述のように自分撮り撮影時には通常撮影時より撮像素子蓄積時間を短めにするように制御を行う。
【００４８】
本発明の第一の実施の形態と第二の実施の形態の共に、露出のパラメータとして撮像素子蓄積時間と述べたが、これは撮像素子のタイミング制御による蓄積時間制御だけではなく、デジタルスチルカメラ等におけるメカニカルシャッターなどの機械的に撮像素子への蓄積を制御する手段による制御も含む。
【図面の簡単な説明】
【００４９】
【図１】本発明の第一の実施の形態におけるカメラ部周辺のブロック図である。
【図２】カメラ一体型ＶＴＲにおいて通常の撮影をしていることを表した図である。
【図３】カメラ付き携帯電話において通常の撮影をしていることを表した図である。
【図４】カメラ一体型ＶＴＲにおいて自分撮り撮影をしていることを表した図である。
【図５】カメラ付き携帯電話において自分撮り撮影をしていることを表した図である。
【図６】カメラ一体型ＶＴＲにおいて画像表示部の回転と表示方向を表した図である。
【図７】絞りを持つ撮像装置における本発明の露出制御パラメータを表した図である。
【図８】絞りを持たない撮像装置における本発明の露出制御パラメータを表した図である。
【図９】本発明の第二の実施の形態におけるカメラ部周辺のブロック図である。
【符号の説明】
【００５０】
１−１  光学系
１−２  撮像素子
１−３  ＣＤＳ／ＡＧＣ回路
１−４  ＡＤＣ回路
１−５  カメラ信号処理回路
１−６  カメラ制御回路
１−７  姿勢検知回路
１−８  画像表示パネル
【図１】
2006140687.tif 000003
【図２】
2006140687.tif 000004
【図３】
2006140687.tif 000005
【図４】
2006140687.tif 000006
【図５】
2006140687.tif 000007
【図６】
2006140687.tif 000008
【図７】
2006140687.tif 000009
【図８】
2006140687.tif 000010
【図９】
2006140687.tif 000011